(57)【特許請求の範囲】
【請求項１】
床上または架台上においてフレキシブルダクトとチャンバとが予め接続してなる空調ダクト装置と、空調機とを前記チャンバを介して接続することにより空調ユニットを組み立て、この空調ユニットを天井側へ持ち上げた後、天井に吊持することで天吊型の空気調和設備を施工する施工方法において、
前記空調ダクト装置の前記フレキシブルダクトは、前記チャンバに取り付けた収納袋の内部に収縮した状態で収納され、前記収納袋を開いて伸張可能に構成してあり、
前記空調ユニットを天井側へ持ち上げた後、天井に吊持するとともに、前記収納袋を間に介して前記フレキシブルダクトを吊り具で天井に吊持してから、前記収納袋を開いて前記フレキシブルダクトを伸張することを特徴とする天吊型空気調和設備の施工方法。
【請求項２】
請求項１に記載の天吊型空気調和設備の施工方法に用いられる空調ダクト装置であって、前記フレキシブルダクトは、縮んだ状態で前記チャンバに接続してあることを特徴とする空調ダクト装置。
【発明の詳細な説明】
【技術分野】
【０００１】
本発明は、天井に吊持される天吊型空気調和設備の施工方法およびこれに用いる空調ダクト装置に関するものである。
【背景技術】
【０００２】
従来、天吊型の空気調和設備の施工において、図４に示すように、パッケージ空調機５０と保温付フレキシブルダクト１２とをチャンバ１４を介して接続する際に、空調機５０またはメインダクト（不図示）、チャンバ１４、保温付フレキシブルダクト１２等の各々の部材を個別に吊り位置まで持ち上げてから接続作業を行っていた（例えば、特許文献１参照）。
【先行技術文献】
【特許文献】
【０００３】
【特許文献１】特許第３５３３５８６号公報
【発明の概要】
【発明が解決しようとする課題】
【０００４】
ところで、上記の従来の天吊型の空気調和設備の施工方法には、下記の（１）〜（４）の問題があった。
【０００５】
（１）各々の部材を各々吊り込み位置まで揚重するため、揚重の工数が掛かる。
（２）各々の部材を天井から吊り下げた状態で接続作業を行うため、横向きまたは上向きの作業となり、作業効率は悪い。また、接続作業に係る人員が高い位置まで上がるための工数も掛かる。
（３）接続作業は、脚立または高所作業車上での比較的長時間の高所作業となるため、転落・墜落防止のための安全対策を講じなければならなくなる。
（４）横向きまたは上向きの作業のため、各々の部材間で接続が適切になされたかの確認が難しい。
【０００６】
本発明は、上記に鑑みてなされたものであって、作業性の向上による作業時間の短縮と安全性の確保とを図ることができる天吊型空気調和設備の施工方法およびこれに用いる空調ダクト装置を提供することを目的とする。
【課題を解決するための手段】
【０００７】
上記した課題を解決し、目的を達成するために、本発明に係る天吊型空気調和設備の施工方法は、床上または架台上においてフレキシブルダクトとチャンバとが予め接続してなる空調ダクト装置と、空調機とを前記チャンバを介して接続することにより空調ユニットを組み立て、この空調ユニットを天井側へ持ち上げた後、天井に吊持することで天吊型の空気調和設備を施工する施工方法において、前記空調ダクト装置の前記フレキシブルダクトは、前記チャンバに取り付けた収納袋の内部に収縮した状態で収納され、前記収納袋を開いて伸張可能に構成してあり、前記空調ユニットを天井側へ持ち上げた後、天井に吊持するとともに、前記収納袋を間に介して前記フレキシブルダクトを吊り具で天井に吊持してから、前記収納袋を開いて前記フレキシブルダクトを伸張することを特徴とする。
【００１２】
また、本発明に係る空調ダクト装置は、上述した天吊型空気調和設備の施工方法に用いられる空調ダクト装置であって、前記フレキシブルダクトは、縮んだ状態で前記チャンバに接続してあることを特徴とする。
【発明の効果】
【００１３】
本発明に係る天吊型空気調和設備の施工方法によれば、空調機に接続されるチャンバと、前記チャンバに接続されるフレキシブルダクトとからなり、天井に吊持される天吊型の空気調和設備を施工する施工方法であって、床上または架台上において前記空調機と前記フレキシブルダクトとを前記チャンバを介して接続することにより空調ユニットを組み立て、この空調ユニットを天井側へ持ち上げた後、天井に吊持するので、空調機とフレキシブルダクトとの接続作業を高所である天井側で行わない。したがって、作業性の向上による作業時間の短縮と安全性の確保とを図ることができるという効果を奏する。
【００１４】
また、本発明に係る空調ダクト装置によれば、天吊型空気調和設備の施工方法に用いられる空調ダクト装置であって、前記フレキシブルダクトは、縮んだ状態で前記チャンバに接続してあるので、この空調ダクト装置と空調機とを、チャンバを介して床上で容易に接続することができる。したがって、この空調ダクト装置を天吊型空気調和設備の施工に用いることで、施工作業性を向上することができるという効果を奏する。
【図面の簡単な説明】
【００１５】
【図１】図１は、本発明に係る天吊型空気調和設備の施工方法の実施例を示す施工順序図である。
【図２】図２は、本発明に係る空調ダクト装置の実施例を示す側面図である。
【図３】図３は、本発明に係る空調ダクト装置の伸張前後を示す側面図であり、（ａ）は伸張前の図、（ｂ）は伸張後の図である。
【図４】図４は、従来の天吊型空気調和設備の施工方法の施工順序図である。
【発明を実施するための形態】
【００１６】
以下に、本発明に係る天吊型空気調和設備の施工方法およびこれに用いる空調ダクト装置の実施例を図面に基づいて詳細に説明する。なお、この実施例によりこの発明が限定されるものではない。
【００１７】
図１に示すように、本発明に係る天吊型空気調和設備１００の施工方法は、床２上または架台上にてパッケージ空調機５０（以下、ＰＡＣという。）と空調ダクト装置１０の保温付フレキシブルダクト１２とをチャンバ１４を介して接続することにより空調ユニット２０を組み立て（工程１）、この空調ユニット２０を天井４側へ持ち上げた後（工程２）、天井４に吊持して保温付フレキシブルダクト１２を伸長する（工程３および４）という施工手順からなる。
【００１８】
空調ユニット２０は、空調ダクト装置１０とＰＡＣ５０とから組み立てられる。
空調ダクト装置１０は、図２に示すように、一端１２ａがチャンバ１４に接続された保温付フレキシブルダクト１２からなり、工場等で予め製作したものである。保温付フレキシブルダクト１２は、チャンバ１４の一方側に取り付けた収縮梱包用のビニル袋１６（収納袋）の内部に収縮した状態で封入され、図３に示すように、ビニル袋１６を開いて他端１２ｂを引っ張ることで伸張可能に構成してある。
【００１９】
次に、本発明に係る施工方法について、より具体的に説明する。
図１に示すように、まず、工程１において、ＰＡＣ５０と、工場製作した空調ダクト装置１０とを吊持予定位置Ａの直下の床２上に搬入し、この床２上でＰＡＣ５０とチャンバ１４とをボルト（不図示）を用いて接統して空調ユニット２０を組み立てる。次に、工程２において、この空調ユニット２０を押上げ式の揚重機器３０にて吊持予定位置Ａに一括で揚重する。
【００２０】
続いて、工程３において、空調ユニット２０の各構成部材を天井４に設けた吊り具４０で吊持するとともに、ビニル袋１６を間に介して保温付フレキシブルダクト１２を吊りバンド４２で吊持する。最後に、工程４において、ビニル袋１６を開いて保温付フレキシブルダクト１２を伸張する。
【００２１】
なお、上記の工程１において、空調ユニット２０の接続部の下側２０ａは空調ユニット２０が載せられている床面と対面することから、接続部の下側用のボルトの取り付け作業が難しくなる場合がある。このような場合には、工程１において、作業が容易な接続部の上側と両横側のみを先に接続しておき、後続の工程３において、接続部の下側２０ａを接続するようにしてもよい。
【００２２】
このように、本発明によれば、施工現場の床２上にて空調ダクト装置１０のチャンバ１４とＰＡＣ５０とを接続する下向き作業が大部分であることから、天吊型空気調和設備１００の施工作業効率が高まる。また、下向き作業のため、チャンバ１４とＰＡＣ５０との間の接続状態の確認を容易に行うことができる。さらに、本発明の施工方法による接続作業は、床上や工場のような作業環境が比較的良好な場所にて行うことができ高所作業を伴わないため、熟練した技能者でなくとも誰もが容易に接続作業を行うことができる。
【００２３】
また、本発明によれば、各部材を床２上で一体化した後に天井４側へ揚重するため、揚重回数が少なくなり、揚重の工数を低減することができる。つまり、天井側で接続作業を行う従来の施工方法における揚重回数は、図４中の（１）〜（５）で示すように、ＰＡＣ５０とその両端に設けるチャンバ１４およびフレキシブルダクト１２の合計５つの部材を別個に揚重することから、揚重回数は５回である。これに対し、本発明の施工方法における揚重回数は、図１中の（１）で示すように、空調ユニット２０を持ち上げる際の１回で済む。
【００２４】
以上のことから、フレキシブルダクト１２とチャンバ１４の接続は工場等にて予め行え、揚重回数も１回で済むため、現場における施工作業時間が大幅に短縮される。したがって、施工作業性の向上による作業時間の短縮を図ることができる。
【００２５】
また、高所作業は、吊持予定位置Ａに空調ユニット２０を揚重して、吊り具４０等を各構成部材に取り付ける作業のときだけであるので、高所作業が大幅に低減される結果、作業安全性の確保を図ることができる。
【００２６】
なお、空調ダクト装置１０のフレキシブルダクト２０の伸縮については上記で概略説明したとおりであるが、より具体的に説明すると、図３（ａ）に示すように、収縮時には、ビニル袋１６内に保温付フレキシブルダクト１２を封入しておく。一方、図３（ｂ）に示すように、伸張時には、ビニル袋１６の端部を開けて開口１６ａを作り、その開口１６ａから保温付フレキシブルダクト１２の端部１２ｂを引張り伸張する。この場合、開口したビニル袋１６をそのままチャンバ１４側に残すようにしてもよい。こうすることで、フレキシブルダクト１２の表面が吊バンド４２に直接触れず傷つかないようにすることができる。このように、収縮梱包用のビニル袋１６は、フレキシブルダクト１２の伸張時に吊バンド４２に対する接触防護材の役目を果たすこともできる。
【００２７】
以上説明したように、本発明に係る天吊型空気調和設備の施工方法によれば、空調機に接続されるチャンバと、前記チャンバに接続されるフレキシブルダクトとからなり、天井に吊持される天吊型の空気調和設備を施工する施工方法であって、床上または架台上において前記空調機と前記フレキシブルダクトとを前記チャンバを介して接続することにより空調ユニットを組み立て、この空調ユニットを天井側へ持ち上げた後、天井に吊持するので、空調機とフレキシブルダクトとの接続作業を高所である天井側で行わない。したがって、作業性の向上による作業時間の短縮と安全性の確保とを図ることができる。
【００２８】
また、本発明に係る空調ダクト装置によれば、天吊型空気調和設備の施工方法に用いられる空調ダクト装置であって、前記フレキシブルダクトは、縮んだ状態で前記チャンバに接続してあるので、この空調ダクト装置と空調機とを、チャンバを介して床上で容易に接続することができる。したがって、この空調ダクト装置を天吊型空気調和設備の施工に用いることで、施工作業性を向上することができ、搬送時の容積を小さくできるため、搬送効率を向上し、トラック輸送の回数も低減できることから、排出ＣＯ２の削減にもなる。
【産業上の利用可能性】
【００２９】
以上のように、本発明に係る天吊型空気調和設備の施工方法およびこれに用いる空調ダクト装置は、フレキシブルダクトと空調機とがチャンバを介して接続される天吊型の空気調和設備に有用であり、特に、施工作業性の向上による作業時間の短縮と安全性の確保とを図るのに適している。
【符号の説明】
【００３０】
２  床
４  天井
１０  空調ダクト装置
１２  保温付フレキシブルダクト
１４  チャンバ
１６  ビニル袋（収納袋）
１６ａ  開口
２０  空調ユニット
２０ａ  空調ユニットの下側
３０  揚重機器
４０  吊り具
４２  吊りバンド
５０  パッケージ空調機（空調機）
１００  天吊型空気調和設備
Ａ  吊持予定位置
【図１】
0005462581.tif 000002
【図２】
0005462581.tif 000003
【図３】
0005462581.tif 000004
【図４】
0005462581.tif 000005